(57)【要約】【解決手段】健康特性の評価方法であって、精漿中のテストステロン、亜鉛、酸化ストレスマーカー及びクレアチンからなる群から選択される少なくとも１種の成分を測定する工程と、前記少なくとも１種の成分の精漿中濃度に基づいて前記精漿の提供者の健康特性を評価する工程と、を備えるようにする。【選択図】なし【特許請求の範囲】
【請求項１】
健康特性の評価方法であって、
精漿中のテストステロン、亜鉛、酸化ストレスマーカー及びクレアチンからなる群から選択される少なくとも１種の成分を測定する工程と、
前記少なくとも１種の成分の精漿中濃度に基づいて前記精漿の提供者の健康特性を評価する工程と、
を備える、方法。
【請求項２】
前記テストステロン濃度及び前記酸化ストレスマーカー濃度を少なくとも測定する、請求項１に記載の方法。
【請求項３】
前記酸化ストレスマーカーは、８−ヒドロキシ−２’−デオキシグアノシン（８−ＯＨｄＧ）である、請求項１又は２に記載の方法。
【請求項４】
前記少なくとも１種の成分の精漿中濃度と前記少なくとも１種の精漿中濃度について予め決定された基準値とを比較することにより、前記健康特性を評価する、請求項１〜３のいずれかに記載の方法。
【請求項５】
前記閾値は、加齢レベル、妊孕レベル、酸化ストレスレベル及び男らしさレベルからなる群から選択される少なくとも１種の前記健康特性に関連付けられて設定されている、請求項４に記載の方法。
【請求項６】
前記少なくとも１種の成分の精漿中濃度と前記少なくとも１種の精漿中濃度について少なくとも１種の成分について予め設定された目標値とを比較することにより、前記健康特性を評価する、請求項１〜５のいずれかに記載の方法。
【請求項７】
前記目標値は、加齢レベル、妊孕レベル、酸化ストレスレベル及び男らしさレベルからなる群から選択される健康特性に関連付けられて設定されている、請求項６に記載の方法。
【請求項８】
前記健康特性は、前記提供者の妊孕レベルである、請求項１〜７のいずれかに記載の方法。
【請求項９】
前記健康特性は、前記提供者の加齢レベルである、請求項１〜８のいずれかに記載の方法。
【請求項１０】
前記健康特性は、前記提供者の酸化ストレスレベルである、請求項１〜９のいずれかに記載の方法。
【請求項１１】
健康支援方法であって、
精漿中のテストステロン、亜鉛、酸化ストレスマーカー及びクレアチンからなる群から選択される少なくとも１種の成分を測定する工程と、
前記少なくとも１種の成分の精漿中濃度に基づいて前記精漿の提供者の健康特性を評価する工程と、
前記健康特性の評価結果に基づいて、健康支援情報を取得する工程と、
を備える、方法。
【請求項１２】
前記健康支援情報は、前記提供者の妊孕レベル、加齢レベル、酸化ストレスレベル及び男らしさレベルからなる群から選択される少なくとも１種の健康特性に関する健康目的に応じた情報である、請求項１１に記載の方法。
【請求項１３】
前記健康支援情報は、食事に関する生活習慣関連情報である、請求項１１又は１２に記載の方法。
【請求項１４】
前記健康支援情報は、睡眠に関する生活習慣関連情報である、請求項１１〜１３のいずれかに記載の方法。
【請求項１５】
健康特性の評価システムであって、
精液から精漿を分離する精漿分離手段と、
前記精漿中のテストステロン、亜鉛、酸化ストレスマーカー及びクレアチンからなる群から選択される少なくとも１種の成分を測定する測定手段と、
前記少なくとも１種の成分の精漿中濃度に基づいて、前記精液の提供者の健康特性を評価する手段と、
を備える、システム。
【請求項１６】
健康支援システムであって、
精液から精漿を分離する精漿分離手段と、
精漿中のテストステロン、亜鉛、酸化ストレスマーカー及びクレアチンからなる群から選択される少なくとも１種の成分を測定する測定手段と、
前記少なくとも１種の成分の精漿中濃度に基づいて前記精漿の提供者の健康特性を評価する評価手段と、
前記健康特性の評価結果に基づいて、健康支援情報を取得する取得手段と、
を備える、システム。
【請求項１７】
健康支援システムであって、
精漿中のテストステロン、亜鉛、酸化ストレスマーカー及びクレアチンからなる群から選択される少なくとも１種の成分を測定する測定手段と、
前記少なくとも１種の成分の精漿中濃度に関する濃度情報を入力する手段と、
入力された前記濃度情報に基づいて前記精漿の提供者の健康特性を評価する評価手段と、
前記健康特性の評価結果に基づいて、健康支援情報を取得する取得手段と、
を備える、システム。
【発明の詳細な説明】
【技術分野】
【０００１】
本明細書は、健康特性の評価方法及びその利用に関する。
【背景技術】
【０００２】
精液は、精巣、精巣上体、精管、精嚢及び前立腺の各分泌液（精漿）等と精子から構成されている。これまでの精液検査では、精液量、精子数、精子濃度、精子の運動率や形状が測定されているものの（特許文献１）、精漿を構成する分子の生化学的検査はほとんど行われていないのが実情である。
【先行技術文献】
【特許文献】
【０００３】
【特許文献１】特開２０１７−１６１３０１号公報
【発明の概要】
【発明が解決しようとする課題】
【０００４】
しかしながら、精漿は、精液のｐＨを一定に維持したり、精子の運動促進、精子クロマチンの安定化、活性酸素の除去等によって、精子に妊孕力を与える重要な作用を担っていると考えられる。また、精漿には、前立腺液も含まれており、前立腺の炎症や肥大症、ガンに関するバイオマーカーの存在が期待できる。
【０００５】
本明細書は、精液を利用して、健康上の特性、例えば、妊孕レベル、加齢レベルなどの健康特性の評価が可能な方法を提供する。
【課題を解決するための手段】
【０００６】
本発明者らは、男性固有の検体である精液を構成する精漿に着目した。そして、精漿を測定対象とすることで、精漿提供者である健康状態、特に、男性固有の健康状態などを容易に評価できるという知見を得た。本明細書によれば、以下の手段が提供される。
【図面の簡単な説明】
【０００７】
【図１】精漿中亜鉛濃度と加齢との関係を示す図である。
【図２】精漿中亜鉛濃度と総精子数との関係を示す図である。
【図３】精漿中亜鉛濃度と妊孕力のＷＨＯ基準との関係を示す図である。
【図４】精漿中亜鉛濃度と食事傾向との関係を示す図である。
【図５】精漿中テストステロン濃度と加齢との関係を示す図である。
【図６】精漿中テストステロン濃度と総亜鉛量との関係を示す図である。
【図７】精漿中の８−ＯＨｄＧ濃度と加齢との関係を示す図である。
【図８】精漿中８−ＯＨｄＧ濃度と生活習慣（睡眠時間）との関係を示す図である。
【図９】精漿中クレアチン濃度と加齢との関係を示す図である。
【図１０】精漿中亜鉛濃度と禁欲期間との関係を示す図である。
【図１１】精漿中亜鉛濃度と精液中スペルミン濃度との関係を示す図である。
【図１２】精漿中の８−ＯＨｄＧ濃度とＢＭＩとの関係を示す図である。
【図１３】ＢＭＩと精子濃度との関係を示す図である。
【図１４】精漿中テストステロン濃度と飲酒傾向との関係を示す図である。
【図１５】精漿中亜鉛濃度と生活習慣（喫煙）との関係を示す図である。
【図１６】精漿中の８−ＯＨｄＧ濃度と生活習慣（喫煙）との関係を示す図である。
【発明を実施するための形態】
【０００８】
本明細書の開示は、健康特性の評価方法及びその利用等に関する。本明細書に開示される健康特性の評価方法（以下、本評価方法ともいう。）及び評価システムによれば、精漿中における特定成分の濃度を取得することで、妊孕レベル、加齢レベル、酸化ストレスレベル及び男らしさレベルなどの健康特性を評価することができる。
【０００９】
例えば、精液は、血液などに比べて、非侵襲的に取得できて、かつ、妊孕レベルに直接関連する精子を含有する。このため、精漿中の特定成分濃度は、妊孕レベルなどの男性固有の健康特性をより直接的に反映しうる。また、精漿中の特定成分濃度は、精漿提供者の全身的な加齢レベル、酸化ストレスレベル及び男らしさレベルも反映しうると考えられる。これらのことから、精漿中の、すなわち、亜鉛、テストステロン、酸化ストレスマーカー及びクレアチンからなる群から選択される少なくとも１種の濃度の測定により、男性としての健康特性を感度及び精度良く評価できる。とりわけ、精漿中の特定成分濃度を測定することで精漿提供者の精液の健康特性（精液年齢）を種々の観点、例えば、妊孕レベル、加齢レベル、酸化ストレスレベル及び男らしさレベルの観点から、容易に評価することができる。
【００１０】
例えば、精漿中の亜鉛濃度及びテストステロン濃度が高いほど、全精子数（射精あたりの精液に含まれる全精子数）が高いことがわかった。従来、精液中の精子などの運動性や形態等が妊孕能力と関連付けられてきていたが、本評価方法によれば、精子数や精液量などの従来の測定項目を省略しても、精漿中の亜鉛濃度やテストステロン濃度から、妊孕レベルを簡易に評価することができる。
【００１１】
また、精漿中のテストステロン及びクレアチンの各濃度は、提供者の年齢が増大するにつれて低下する傾向があることがわかった。このことから、これら３成分から選択される１種又は２種の成分の精漿中濃度によれば、提供者の加齢レベルや男らしさレベルを簡易に評価することができる。
【００１２】
また、精漿中の酸化ストレスマーカーは提供者の年齢が増大するにつれて増大する傾向があることがわかった。このことから、この成分の精漿中濃度によれば、提供者の加齢レベルを評価することができる。また、酸化ストレスマーカー自体は酸化ストレスレベルを示すことから、提供者の酸化ストレスレベルを評価することができる。
【００１３】
さらに、本明細書によれば、精漿中の特定成分濃度に基づく健康特性の評価結果に基づいて、精漿提供者の健康支援情報を取得する、健康支援方法やシステムも提供される。以下、本評価方法及びその利用等につき、各種実施形態について説明する。
【００１４】
（健康特性の評価方法）
本明細書に開示される健康特性の評価方法は、精漿中のテストステロン、亜鉛、ストレスマーカー及びクレアチンからなる群から選択される少なくとも１種の成分を測定する工程（以下、精漿中成分の測定工程ともいう。）を備えることができる。かかる工程を備えることで、精漿中濃度に基づいて、精漿提供者の健康特性を簡易に評価することができる。
【００１５】
本評価方法の測定対象は、精漿である。精漿とは、精液から精子を除いた残余成分である。精漿は、例えば、精嚢、前立腺などを含んでいる。精漿は、従来、妊孕力等については着目されていなかったが、本発明者らによれば、精漿中の特定成分と妊孕レベル等との関係を取得することに至り、精漿の測定対象としての有用性を知得した。
【００１６】
本評価方法は、精漿を測定対象とするが、精漿は後述のとおり、精液の一部である。したがって、通常は、精液を検体とし、測定工程に先立って精液から精子を除去して精漿を分離する。また、精子の併存下でも、特定成分の測定が可能な場合には、精子併存下での精漿（すなわち、精液である。）を測定対象とすることもできる。なお、その場合には、本明細書において、精漿中濃度とあるのは、精液中濃度として置き換えることができる。
【００１７】
精漿は、精液を遠心分離した上清として、あるいは、精液を、精子を通過しないフィルターでろ過したろ液として取得することができる。したがって、精液を検体として取得し、精漿を測定対象とするときには、測定工程に先だって、あるいは測定工程の一部として、精液から精子を除去して精漿を取得する工程を適宜実施することができる。
【００１８】
（精漿中成分の測定工程）
精漿中成分としては、テストステロン、亜鉛、ストレスマーカー及びクレアチンからなる群から選択される少なくとも１種とすることができる。かかる成分中、好ましくは２種以上であり、より好ましくは３種以上であり、さらに好ましくは４種である。
【００１９】
（テストステロン）
テストステロンは、アンドロゲンに属するステロイドホルモンの一種である。テストステロンの測定は、公知の方法で測定することができるが、簡便性や精度等を考慮すると、抗原抗体反応を利用して測定することが好ましい。例えば、抗テストステロン抗血清、抗テストステロン抗体を用いたＥＬＩＳＡ法を採用することができる。かかるＥＬＩＳＡ法を実施するためのキットは、商業的に容易に入手可能である。
【００２０】
精漿中テストステロン濃度は、精漿提供者におけるテストステロンレベルを反映しているものと考えられる。したがって、男性機能（男性更年期障害、性機能不全等）の評価に有用である。また、本明細書によれば、精漿中のテストステロン濃度は、加齢とともに減少し、同テストステロン濃度が増大すると、全精子数及び妊孕レベルが増大することが開示される。したがって、精漿中テストステロン濃度は、精漿提供者の加齢レベル、総精子数、妊孕レベルの評価に有用である。
【００２１】
（亜鉛）
亜鉛は、金属原子である。亜鉛の測定は、特に限定するものではないが、例えば、ｘ線蛍光法、原子吸光法、５−Ｂｒ−ＰＡＰＳ（５−Ｂｒ−ＰＡＰＳ：２−（５−ブロモ−２−ピリジルアゾ）−５−（Ｎ−プロピル−Ｎ−スルホプロピルアミノ）フェノールナトリウム）による呈色法等により測定することができる。
【００２２】
精漿中亜鉛濃度は、精漿提供者における亜鉛レベルを反映しているものと考えられる。したがって、男性機能（男性更年期障害、性機能不全等）の評価に有用である。また、本明細書によれば、精漿中の亜鉛濃度は、加齢とともに減少し、同亜鉛濃度が増大すると、全精子数及び妊孕レベルが増大することが開示される。したがって、精漿中亜鉛濃度は、精漿提供者の加齢レベル、総精子数、妊孕レベルの評価に有用である。
【００２３】
（酸化ストレスマーカー）
酸化ストレスマーカーは、生体内の代謝物の酸化を指標とするマーカーであり、一般に、生体内の酸化ストレスの指標となる物質である。酸化ストレスマーカーとしては、種々のマーカーが知られている。特に限定するものではないが、酸化ストレスマーカーとしては、例えば、８−ヒドロキシ−２’−デオキシグアノシン（８−ＯＨｄＧ）などのＤＮＡ酸化マーカー、８−ＯＨｄＧ、ヘキサノルイジン（ＨＥＬ）、４−ＨＮＥ（４−ヒドロキシノネナ−ル）、イソプラスタン、マロンジアルデヒド、過酸化脂質、酸化ＬＤＬなどの脂質酸化マーカー、カルボキシメチルリジン、糖化アルブミン、ベントシジン、メチルグリオキサール、デオキシグルコソンなどの糖酸化マーカー、ジチロシン、カルボニル化タンパク質などのタンパク質酸化マーカー、ニトロチロシンなどのＮＯストレスマーカー等が挙げられる。なかでも、精漿における酸化ストレスマーカーとしては、８−ＯＨｄＧであることが好ましい。
【００２４】
８−ＯＨｄＧなどの酸化ストレスマーカーは、いずれも商業的に利用されており、公知の方法で測定することができるが、簡便性や精度等を考慮すると、抗原抗体反応を利用して測定することが好ましい。例えば、８−ＯＨｄＧの場合、抗８−ＯＨｄＧ抗血清、抗８−ＯＨｄＧ抗体を用いたＥＬＩＳＡ法を採用することができる。かかるＥＬＩＳＡ法を実施するためのキットは、商業的に容易に入手可能である。
【００２５】
精漿中の８−ＯＨｄＧなどの酸化ストレスマーカー濃度は、精漿提供者における酸化ストレスレベルを反映しているものと考えられる。したがって、男性機能（男性更年期障害、性機能不全等）の評価に有用である。また、本明細書によれば、精漿中の８−ＯＨｄＧ濃度は、加齢とともに増大し、同８−ＯＨｄＧ濃度が増大すると、テストステロン濃度が低下することが開示される。したがって、精漿中８−ＯＨｄＧ濃度は、精漿提供者の加齢レベルの評価に有用である。
【００２６】
（クレアチン）
クレアチンは、１−メチルグアニジノ酢酸（あるいはメチルグリコシアミン）である。クレアチンは、クレアチンキナーゼの働きによりクレアチンリン酸となり、筋肉のエネルギー源として重要であり、筋肥大等に有用であると考えられている。
【００２７】
クレアチンは、公知の方法で測定することができるが、簡便性や精度等を考慮すると、発色法によることが好ましい。かかる発色法としては、特に限定するものではないが、例えば、酵素法による発色法を用いることができる。かかる発色法を実施するためのキットは、商業的に容易に入手可能である。
【００２８】
本評価方法においては、これらの成分のうち１成分又は２成分以上を測定することができる。精漿中のクレアチン濃度は、精漿提供者におけるクレアチンレベルを反映しているものと考えられる。本明細書によれば、精漿中のクレアチン濃度は、加齢とともに低下することが開示される。したがって、精漿中クレアチン濃度は、精漿提供者の加齢レベルの評価に有用である。
【００２９】
これらの成分のうち、本評価方法によれば、亜鉛濃度を測定することが好ましい。亜鉛濃度を測定することにより、特に、総精子数や精液量の測定によらなくても精漿提供者の妊孕レベルを評価することができる。
【００３０】
また、これらの成分のうち、テストステロン濃度及びクレアチン濃度を測定することが好ましい。これらは、精漿提供者の加齢レベルの評価に有用である。
【００３１】
また、これらの成分のうち、テストステロン濃度を測定することが好ましい。テストステロン濃度が高いと総精子数が増大するため、精漿提供者の妊孕レベルの評価に有用である。
【００３２】
また、８−ＯＨｄＧなどの酸化ストレスマーカー濃度を測定することは、睡眠時間などの生活習慣を反映する場合もある点において好ましい。また、亜鉛濃度を測定することは、食事の傾向（肉類の多食傾向、魚類の多食傾向）を反映する場合もある点において好ましい。
【００３３】
また、テストステロン濃度及び８−ＯＨｄＧなどの酸化ストレスマーカー濃度を測定することも好ましい。テストステロン濃度は加齢とともに低下し、８−ＯＨｄＧ濃度は加齢により増大する。したがって、両者を測定することで、高い精度で精漿提供者の加齢レベルを評価することができる。また、テストステロン濃度は、総精子数、すなわち、妊孕レベルと相関し、８−ＯＨｄＧなどの酸化ストレスマーカー濃度は、精子含有環境である精漿の酸化ストレスの指標であることから、精子含有環境の酸化ストレスレベルを評価することができる。
【００３４】
（スペルミン）
スペルミンは、細胞分裂やタンパク質合成に関わる物質の一つである。細胞の新陳代謝に係わっていると考えられている。
【００３５】
（健康特性の評価工程）
本評価方法は、少なくとも１種の成分の精漿中濃度に基づいて精漿の提供者の健康特性を評価する工程を備えることができる。評価工程における評価対象は、前記測定工程で測定した全ての成分の精漿中濃度としてもよいし、その一部であってもよい。評価対象となる精漿中濃度は、精漿提供者の意図あるいは評価方法が対象とする健康特性に応じて適宜決定される。
【００３６】
評価工程は、例えば、取得した精漿中濃度と当該成分について予め取得している、特定の健康特性に関連付けられた基準濃度とを比較することにより、精漿提供者の健康特性を評価することができる。基準濃度は、加齢レベル、妊孕レベル及び酸化ストレスレベルからなる群から選択される少なくとも１種の前記健康特性に関連付けられて１種又は２種以上の成分について設定されている。
【００３７】
（亜鉛）
例えば、本明細書によれば、精漿中亜鉛濃度は、総精子数と強く相関しているため、ＷＨＯ（世界保健機構）によって定められた妊孕力の基準となる精液中の総精子数（３．９×１０7ｃｅｌｌｓ以上）となる精漿中亜鉛の基準濃度を定めることができる。ＷＨＯ基準の妊孕力を有していることが肯定的に評価できる精漿中亜鉛濃度としては、特に限定するものではないが、例えば、９．４ｍｇ／ｄｌ以上であり、また例えば、９．５ｍｇ／ｄｌ以上であり、また例えば、１０ｍｇ／ｄｌ以上であり、また例えば、１２ｍｇ／ｄｌ以上であり、また例えば、１４ｍｇ／ｄｌ以上である。なお、これらの濃度は、いずれも、５−Ｂｒ−ＰＡＰＳによる呈色法か当該方法と同等以上の精度及び正確性の測定方法によることが好ましい。
【００３８】
（テストステロン）
また例えば、本明細書によれば、精漿中のテストステロン濃度は、精液中の総精子数と強く相関しているため、ＷＨＯ（世界保健機構）によって定められた妊孕力の基準となる精液中の総精子数（３．９×１０7ｃｅｌｌｓ以上）となる精漿中テストステロンの基準濃度を定めることができる。測定工程によって得られた精漿中のテストステロン濃度と基準濃度とを比較することにより、妊孕力の有無、妊孕力が高い若しくはＷＨＯ基準に対する割合（例えば、１２０％など）、低い若しくはＷＨＯ基準に対する割合（例えば、９０％など）などの程度である精漿提供者の妊孕レベルを評価することができる。
【００３９】
かかる精漿中テストステロンの基準濃度は、ＷＨＯ基準の変更のほか、設定すべき妊孕力やデータ数の増大等により変動しうるし、あるいは適宜設定することができる。
【００４０】
また例えば、本明細書によれば、精漿中のテストステロン濃度は、加齢とともに低下し、加齢と逆相関しているため、例えば、各年代、各年齢などの基準年齢に関連付けて精漿中のテストステロンの基準濃度を定めることができる。測定工程によって得られた精漿中のテストステロン濃度と基準濃度とを比較することにより、精漿提供者の精漿に基づく年齢が、当該提供者の実年齢相当である、実年齢より若い若しくはマイナス何歳である、実年齢よりも老化している若しくはプラス何歳であるなどという加齢レベルを評価することができる。
【００４１】
かかる精漿中テストステロンの基準濃度は、データ数の増大等により変動しうるし、あるいは適宜設定することができる。かかる基準濃度は、特に限定するものではないが、例えば、２０才代で２１５０ｐｇ／ｍｌであり、また例えば、３０才代で１５００ｐｇ／ｍｌであり、また例えば、４０才代で１５００ｐｇ／ｍｌであり、また例えば、５０才代で１３５０ｐｇ／ｍｌである。なお、これらの濃度は、いずれも、ＥＬＩＳＡ法か当該方法と同等以上の精度及び正確性の測定方法によることが好ましい。
【００４２】
また例えば、本明細書によれば、精漿中のテストステロンの濃度は、それ自体、精漿提供者のテストステロンレベル、すなわち、男性らしさレベルの指標でもある。したがって、精漿中のテストステロン濃度を、各年代、各年齢などの基準年齢に関連付けて精漿中の酸化ストレスマーカーの基準濃度を定めることができる。測定工程によって得られた精漿中の酸化ストレスマーカー濃度と実年齢の基準濃度とを比較することにより、精漿提供者の精漿に基づく酸化ストレスが、当該提供者の実年齢相当である、実年齢の酸化ストレスに対する割合（％）や実年齢プラス何歳あるいはマイナス何歳などとして評価することができる。
【００４３】
（酸化ストレスマーカー）
また例えば、本明細書によれば、精漿中の８−ＯＨｄＧなどの酸化ストレスマーカー濃度は、加齢とともに増大し、加齢と相関しているため、例えば、各年代、各年齢などの基準年齢に関連付けて精漿中の８−ＯＨｄＧなどの酸化ストレスマーカーの基準濃度を定めることができる。測定工程によって得られた精漿中の酸化ストレスマーカー濃度と基準濃度とを比較することにより、精漿提供者の精漿に基づく年齢についてのテストステロン濃度の場合と同様の態様で加齢レベルを評価することができる。
【００４４】
かかる精漿中８−ＯＨｄＧの基準濃度は、データ数の増大等により変動しうるし、データ数の増大等により変動しうる。かかる基準濃度としては、特に限定するものではないが、例えば、２０才代で１７ｎｇ／ｍｌであり、また例えば、３０才代で１８ｎｇ／ｍｌであり、また例えば、４０才代で２２ｎｇ／ｍｌであり、また例えば、５０才代で２６ｎｇ／ｍｌである。なお、これらの濃度は、いずれも、ＥＬＩＳＡ法か当該方法と同等以上の精度及び正確性の測定方法によることが好ましい。
【００４５】
また例えば、本明細書によれば、精漿中の８−ＯＨｄＧなどの酸化ストレスマーカー濃度は、それ自体、精漿提供者の酸化ストレスレベルでもあり、また、精液中の精子に対する酸化ストレスレベルの指標ともなる。したがって、精漿中の８−ＯＨｄＧなどの酸化ストレスマーカー濃度を、妊孕力他などと関連付けて設定して評価することも可能である。例えば、各年代、各年齢などの基準年齢に関連付けて精漿中の酸化ストレスマーカーの基準濃度を定めることができる。測定工程によって得られた精漿中の酸化ストレスマーカー濃度と実年齢の基準濃度とを比較することにより、精漿提供者の精漿に基づく酸化ストレスが、当該提供者の実年齢相当である、実年齢の酸化ストレスに対する割合（％）や実年齢プラス何歳あるいはマイナス何歳などとして評価することができる。
【００４６】
（クレアチン）
また例えば、本明細書によれば、精漿中のクレアチン濃度は、加齢とともに低下し、加齢と逆相関しているため、例えば、各年代、各年齢などの基準年齢に関連付けて精漿中のクレアチンの基準濃度を定めることができる。測定工程によって得られた精漿中のクレアチン濃度と基準濃度とを比較することにより、精漿提供者の精漿に基づく年齢が、当該提供者の実年齢相当である、実年齢より若い若しくはマイナス何歳である、実年齢よりも老化している若しくはプラス何歳であるなどという加齢レベルを評価することができる。
【００４７】
かかる精漿中クレアチンの基準濃度は、データ数の増大等により変動しうるし、あるいは適宜設定することができるが、例えば、２０才代で０．６５ｎｍｏｌ／μｌであり、また例えば、３０才代で０．４５ｎｍｏｌ／μｌであり、また例えば、４０才代で０．４ｎｍｏｌ／μｌであり、また例えば、５０才代で０．４ｎｍｏｌ／μｌである。なお、これらの濃度は、いずれも、酵素法による発色法又は当該方法と同等以上の精度及び正確性の測定方法によることが好ましい。
【００４８】
また例えば、本明細書によれば、精漿中のクレアチンの濃度は、それ自体、精漿提供者のクレアチンレベルでもあるが、当該レベルは、すなわち、男らしさレベルの指標でもある。したがって、精漿中のクレアチン濃度を、上記のように各年代、各年齢などの基準年齢に関連付けて精漿中のクレアチンの基準濃度を定めることができる。測定工程によって得られた精漿中のクレアチン濃度と実年齢の基準濃度とを比較することにより、精漿提供者の精漿に基づく男らしさレベルが、当該提供者の実年齢相当である、実年齢の男らしさレベルに対する割合（％）や実年齢プラス何歳あるいはマイナス何歳などとして評価することができる。
【００４９】
（スペルミン）
また例えば、本明細書によれば、精液中のスペルミン濃度は、精漿中亜鉛濃度と性正の相関があるため、精漿中亜鉛と同様に妊孕力の基準となる濃度を設定することができる。なお、スペルミンは、実施例において説明する液体クロマトグラフィー法（検出：ＥＳＩ−ＭＳ、ＥＳＩ−ＭＳ／ＭＳ、蛍光等）が可能であるほか、一般的なＨＰＬＣ法の他、ＬＣ−ＭＳ法、ＬＣ−ＭＳ／ＭＳ法、ＥＬＩＳＡ法、呈色法が挙げられる。
【００５０】
なお、以上の説明では、いずれも、妊孕レベル、加齢レベル、酸化ストレスレベル及び男らしさレベルについて、例えば、ＷＨＯの妊孕力基準や予めこれら成分の精漿中濃度を取得した被験者の年齢に関連付けた基準値と比較して評価したが、他の評価態様としては、例えば、精漿提供者である評価方法の被験者毎に目標の妊孕レベル（亜鉛濃度や総精子数）や、目標とする年代あるいは年齢の加齢レベル、酸化ストレスレベル及び男らしさレベルに対応する濃度を基準値として用いて評価してもよい。すなわち、測定によって得られた精漿中濃度と予め設定された目標値である基準値とを比較して評価してもよい。こうすることで、例えば、健康増進の動機付けを付与することができる。
【００５１】
また、以上の説明では、評価工程は、予め設定した基準値と比較するなどとしたが、これに限定するものではなく、例えば、妊孕レベル、加齢レベル、酸化ストレスレベル及び男らしさレベルについての被験者の経時的変化、すなわち、被験者自身の過去の、直近の、あるいは一定期間（例えば、１ヶ月、３ヶ月、６ヶ月又は１年など）前の測定値を基準値として、当該基準値に対する傾向（改善、維持、向上又は低下傾向など）を評価する工程であってもよい。
【００５２】
評価工程では、例えば、妊孕レベル、加齢レベル、酸化ストレスレベル及び男らしさレベルのうちから、適宜目的等に合致した１又は２以上のレベルを評価することができる。男性固有の健康特性としては、少なくとも妊孕レベルを評価することが好ましく、適宜男らしさレベルも評価することができる。また、加齢レベル及び酸化ストレスレベルは、総合的に男性固有の健康特性を評価するのに好適であるほか、いわゆる健康評価に有用である。
【００５３】
評価工程では、妊孕レベル、加齢レベル、酸化ストレスレベル及び男らしさレベルからなる群から選択される１又は２以上のレベルの評価を総合して、例えば、総合評価として、精液年齢などとして男性固有の健康特性として評価してもよい。例えば、１又は２以上のレベルについての評価結果を５段階評価手法などでポイント化して、これらのポイントの総和あるいは、適宜係数を付与した上での総和をして総合的に評価することができる。
【００５４】
また、かかる総合評価とともにあるいは総合評価を伴わないで、個々のレベルを必要に応じてポイント化などして個別評価してもよい。
【００５５】
本評価方法は、病院等でなく自宅等で採取した精液を郵送等により、本評価方法を実施する評価機関に提供する態様での実施のほか、当該評価機関や病院等で採取した精液について、当該場所で評価する態様等での実施が可能である。特に、本評価方法は、採取の自由度や選択性が高く、医療従事者と対面することなく検体を提供できる点においても有用である。
【００５６】
また、本評価方法は、被験者は、個別に、郵送、メール、あるいは特定ウエブサイトに設けられた個人アカウントにおいて評価結果を取得することができるように構成することもできる。すなわち、本評価方法が、評価結果を、秘密を確保可能に媒体に出力する工程を備えることにより、一層、個人的かつ任意のタイミングで評価を受けることができる。
【００５７】
本評価方法では、例えば、精液採取後、例えば、１５℃以上３５℃以下で１時間以上７日間経過後であっても、精漿中の亜鉛濃度、８−ＯＨｄＧなどの酸化ストレスマーカー濃度、テストステロン濃度及びクレアチン濃度を高い精度と正確性で測定することができる。
【００５８】
本評価方法では、精液量、全精子数、精子の運動性、精子数及び精子の形態などの、フレッシュな精液を要する検査項目であって、しかも、煩雑かつ熟練の必要な測定を簡略化又は省略して実施しても、健康特性の評価を十分に行うことができる。
【００５９】
（健康支援方法）
本明細書に開示される健康支援方法（以下、単に、本支援方法ともいう。）は、精漿中のテストステロン、亜鉛、酸化ストレスマーカー及びクレアチンからなる群から選択される少なくとも１種の成分を測定する工程と、前記少なくとも１種の成分の精漿中濃度に基づいて前記精漿の提供者の健康特性を評価する工程と、前記健康特性の評価結果に基く健康支援情報を取得する工程と、を備えることができる。本支援方法によれば、健康特性の評価結果に基づく精漿提供者の健康支援情報を取得できるため、精漿提供者の健康特性を改善、維持又は向上させることができる。
【００６０】
本支援方法における成分測定工程、評価工程は、本評価方法における測定工程及び評価工程と同様の態様で実施することができる。
【００６１】
（健康支援情報の取得工程）
健康支援情報提供工程は、健康特性の評価結果に基づく健康支援情報を取得する工程である。健康特性の評価結果は、精漿提供者の妊孕レベル、加齢レベル、酸化ストレスレベル及び男らしさレベルからなる群から選択される１種又は２種以上である。どの評価結果に基づく健康支援情報を提供するかは、被験者の健康目的などに適宜応じて設定される。
【００６２】
健康特性の評価結果に基づく健康支援情報は、健康特性の評価結果に基づく自己の健康特性を改善、維持又は向上させることができる情報とすることができる。かかる支援情報の種類としては、例えば、摂取する栄養成分に関する栄養関連情報、生活習慣（睡眠、運動等）に関する生活習慣関連情報等が挙げられる。
【００６３】
栄養関連情報としては、例えば、精漿中の亜鉛濃度が不十分又は低い等により、妊孕レベルが不十分又は低下傾向等である場合、亜鉛の摂取を開始又は増加を提案する内容を含むことができる。より具体的には、亜鉛含有サプリや亜鉛を多く含有する食品の摂取を促進する内容が挙げられる。また、本明細書によれば、肉を多食するほど、精漿中の亜鉛濃度が増大することが開示されている。このため、例えば、栄養関連情報として、肉料理を増やす、主体とするなどの内容を含むことができる。
【００６４】
また、例えば、栄養関連情報としては、精漿中のクレアチン濃度やテストステロン濃度が不十分又は低下傾向であって加齢レベルが実年齢よりマイナス又は低下傾向等にある場合、クレアチンの摂取を開始又は増加を提案する内容を含むことができる。より具体的には、クレアチン含有サプリ等やアミノ酸を多く含有する食品の摂取を促進する内容が挙げられる。さらには、一般的に酸化ストレスを低減させると考えられる抗酸化サプリの摂取の開始又は増加を提案する内容を含むことができる。さらには、テストステロン補充療法についての検討の必要性を喚起する内容を含むことができる。
【００６５】
また、例えば、精漿中の８−ＯＨｄＧなどの酸化ストレスマーカー濃度が増大又は増加傾向であって加齢レベルが実年齢よりマイナス又は低下傾向等にある場合（又は酸化ストレスレベルがマイナス又は増大傾向等にある場合）、抗酸化サプリの摂取の開始又は増加を提案する内容を含むことができる。また、本明細書によれば、睡眠時間が長いほど、例えば、好ましくは５時間以上、より好ましくは６時間以上、さらに好ましくは７時間以上、なお好ましくは８時間以上であると、精漿中の８−ＯＨｄＧ濃度が低下することが開示されている。このため、例えば、生活習慣関連情報として、睡眠時間を長くするなど休養をすすめるなど内容を含むことができる。
【００６６】
こうした健康支援情報は、得られた評価結果、例えば、各種成分の精漿中濃度、各種成分の精漿中濃度から一定の基準によって変換されたポイント及び総合ポイント等に関連付けた健康支援情報のデータベースとして、例えば、コンピュータなどの制御手段、内部メモリ、外部メモリ又はクラウドに予め記憶しておくことができる。例えば、妊孕レベルに関し、被験者の精漿中亜鉛濃度が基準値から一定割合低い場合には、肉量を増大するなどの栄養関連情報とし、さらに低い場合には、亜鉛サプリなどの摂取を開始等するなどの栄養関連情報を関連付けして記憶しておくことができる。
【００６７】
このようなメモリ等が準備されている場合には、こうしたメモリ等を備えるコンピュータやクラウドにアクセスして、評価結果を入力することによって、適切な健康支援情報を取得でき、当該健康支援情報を被験者に提供することができる。
【００６８】
健康支援情報を被験者に提供する場合、種々の態様で提供することができる。提供の形態は、特に限定するものではなく、適宜選択される。例えば、プリンタによる紙出力、メールによる出力、サーバーやクラウドを介した出力等が挙げられる。
【００６９】
なお、本明細書に開示される健康特性の評価方法は、例えば、健康特性の評価システムとしても実施できる。例えば、健康特性の評価システムは、精液から精漿を分離する精漿分離手段と、前記精漿中のテストステロン、亜鉛、酸化ストレスマーカー及びクレアチンからなる群から選択される少なくとも１種の成分を測定する測定手段と、前記少なくとも１種の成分の精漿中濃度に基づいて、前記精液の提供者の健康特性を評価する評価手段と、を備えることができる。かかるシステムにおいて、上記精漿分離手段は、公知の遠心分離装置とし、上記測定手段は、少なくとも１種の上記成分を測定する装置又はキットとし、上記評価手段は、例えば、少なくとも１種の上記成分について取得した精漿中濃度を、健康特性、すなわち、妊孕レベル、加齢レベル、酸化ストレスレベル及び男らしさレベルなどの健康特性を関連付けて評価する制御手段（制御ユニット）を有するコンピュータ、クラウドなどとすることができる。なお、コンピュータ等には、特定の健康特性に関連付けられた各種成分の基準濃度に関する基準濃度情報をデータベースとしてコンピュータ、クラウドに備えることができる。制御ユニットが、基準濃度情報データベースにアクセスすることで、被験者から取得した少なくとも１種の成分の精漿中濃度と基準濃度とを比較するなどすることにより、その比較結果から、被験者の健康特性を取得、すなわち、被験者の健康特性を評価することができる。
【００７０】
このような健康特性評価システムは、また、健康特性評価装置としても構成することができる。例えば、遠心分離装置と、少なくとも１種の成分の測定装置と、前記測定装置による測定結果（例えば、呈色など）から得られる前記少なくとも１種の成分の精漿中濃度を算出し、当該濃度と基準濃度情報データベース中の比較すべき基準濃度とを比較して、被験者の健康特性を取得する制御手段と、必要に応じて当該健康特性を出力する手段と、を備える装置などとして構成できる。
【００７１】
さらに、本明細書に開示される健康支援方法は、精液から精漿を分離する精漿分離手段と、精漿中のテストステロン、亜鉛、酸化ストレスマーカー及びクレアチンからなる群から選択される少なくとも１種の成分を測定する測定手段と、前記少なくとも１種の成分の精漿中濃度に基づいて前記精漿の提供者の健康特性を評価する評価手段と、前記健康特性の評価結果に基づいて、健康支援情報を取得する健康支援情報取得手段と、備える、健康支援システムとしての構成することができる。かかるシステムは、例えば、上記精漿分離手段、上記測定手段、上記評価手段は、健康特性評価システムと同様とすることができ、上記健康支援情報の取得手段は、既述の評価方法や同システムによって得られた評価結果に関連付けられた上記健康支援情報のデータベースにアクセスして、栄養関連情報や生活習慣関連情報などの健康支援情報を取得することができる。
【００７２】
このような健康支援システムは、また、健康支援情報取得装置としても構成することができる。例えば、遠心分離装置と、少なくとも１種の成分の測定装置と、前記測定装置による測定結果（例えば、呈色など）から得られる前記少なくとも１種の成分の精漿中濃度を算出し、当該濃度と基準濃度情報データベース中の比較すべき基準濃度とを比較して、被験者の健康特性を取得し、さらに、健康特性の評価結果に基づいて健康支援情報を取得する制御手段と、必要に応じて当該健康支援情報を出力する手段と、を備える装置などとして構成することができる。
【実施例】
【００７３】
以下、本明細書の開示をより具体的に説明するために具体例としての実施例を記載する。以下の実施例は、本明細書の開示を説明するためのものであって、その範囲を限定するものではない。
【実施例１】
【００７４】
以下の実施例では、２３才〜５８才までの健康な男性被験者８０名に自宅で検体（精液）の採取を依頼した。採取した検体と食事及び生活習慣等に関するアンケートとを株式会社ダンテが受領し、以下の項目について検査を行った。
【００７５】
（１）精液量の測定
精液重量を採取容器ごと計測し、空の容器重量を減じる事により精液重量を算出した。精液の比重を１として精液容量に換算した。
（２）精子濃度
改良型Neubauer血球計算盤を用いて、精子数を計測し、それにより、精子濃度を計測した。
（３）精漿中亜鉛濃度
精液を、８００ｇで７分間遠心し、上清を精漿として取得した。精漿中亜鉛を、５−Ｂｒ−ＰＡＰＳ（２−（５−ブロモ−２−ピリジルアゾ）−５−（Ｎ−プロピル−Ｎ−スルホプロピルアミノ）フェノールナトリウム）を用いてキレート錯体を形成させ、当該錯体の可視部の呈色を計測して定量した。測定には、メタロアッセイ亜鉛測定ＬＳキット（メタロジェニックス株式会社製）を用い、当該キットのプロトコールに従った。
（４）精漿中テストステロン濃度
（３）と同様にして精漿を取得し、抗テストステロン抗体を用いた免疫抗体法にてテストステロン濃度を測定した。測定には、テストステロン、ＥＬＩＳＡキット（ストリップ プレート）（ＩＢＬ株式会社製）を用い、当該キットのプロトコールに従った。
（５）精漿中８−ＯＨｄＧ濃度
精液を１５００ｇ、５分遠心分離して上清を精漿として取得した。精漿中の８−ＯＨｄＧを、抗８−ＯＨｄＧ抗体を用いた免疫抗体法にて測定した。測定は、以下の方法に従った。
【００７６】
＜プロテインチップの作製＞
常法に従って作製した８−ＯＨｄＧ−ＢＳＡを５μｇ／ｍＬに希釈し、スポット溶液とした。ガラス基板は、睦コーポレーション製のアゾスライドを用いた。武蔵エンジニアリング製スポッターＳＨＯＴＭＡＳＴＥＲ ３００ＤＳ−ｓを用い、アゾスライド１枚につき、３６ｎＬずつ１６０個スポットを行い、青色光を照射する事により固定化し、プロテインチップを作製した。
【００７７】
＜プロテインチップによる測定＞
ビオチン化抗８−ＯＨｄＧ抗体（１．３３μｇ／ｍＬ）３μＬと、４倍希釈した精漿検体及びは段階希釈したスタンダード溶液各６μＬをそれぞれ混合し、１５分間振とうした。この混合液４．７μｌを「抗体チップ」に滴下し、湿潤条件下で１時間インキュベートした。「抗体チップ」をＴＰＢＳ（Ｔｗｅｅｎ２００ ０．０１ｗ／ｖ％含有リン酸緩衝食塩水）で２回洗浄後、遠心分離にて水分を排除した。
【００７８】
アルカリフォスファターゼラベルストレプトアビジン（ＫＰＬ製）をＴＰＢＳで１０００倍希釈した溶液に「プロテインチップ」を浸漬し、１時間振とうした。「プロテインチップ」をＴＰＢＳで２回洗浄後、リン酸緩衝食塩水（ＰＢＳ）でリンスし、遠心分離にて水分を排除した。
【００７９】
発光基質としてＴｒｏｐｉｘ ＣＤＰ−Ｓｔａｒ（ロシュ株式会社製）を用い、検出器としてルミノグラフＩ（アトー製）を用いて３０分間発光を検出した。スタンダードの検出値から検量線を作成し、精漿検体の８−ＯＨｄＧ値を算出した。
（６）精漿中クレアチン濃度
精液検体（無差別に抽出した２６検体（年齢２４才〜５８才）を１２，０００ｒｐｍで３０分間遠心分離を行い上清を精漿として取得した。この精漿につき、以下の方法でクレアチン濃度を測定した。測定にはCreatine Colorimetric/Fluorometric Assay Kit（ＢｉｏＶｉｓｉｏｎ製）を用い、上記精漿を１６倍希釈した精漿検体及び段階希釈したスタンダード溶液をマイクロプレート（ＩＷＡＫＩ製）の各ウェルに５０μＬ分注し、上記ウェルにキットの発色液を５０μＬずつ分注し、３７℃で６０分間インキュベートした。その後、マイクロプレートリーダー（ＩＮＦＩＮＩＴＥ Ｍ１０００ Ｐｒｏ，Ｔｅｃａｎ製）を用いて波長を５７０ｎｍに設定し吸光度を測定した。スタンダードの検出値から検量線を作成し、精漿検体のクレアチン濃度を算出した。
【００８０】
（各種成分の精漿中濃度に関する解析結果）
上記各種精漿中濃度を用いた解析結果を図１〜図９に示す。
【００８１】
（精漿中亜鉛濃度）
精漿中亜鉛濃度についての解析結果を図１〜図４に示す。図１に、被験者の年齢と精漿中亜鉛濃度との関係を示す。図１に示すように、精漿中亜鉛濃度は、年齢の大小とは関係がないことがわかった。また、図２に、精液中の総精子数精漿中亜鉛濃度との関係を示す。図２に示すように、亜鉛濃度の増大に応じて、総精子数が増加することがわかった。さらに、図３に、ＷＨＯで妊孕力の基準となっている総精子数３．９×１０7ｃｅｌｌｓを充足する検体と充足しない検体（上記基準値未満）の検体の精漿中亜鉛濃度の平均値を比較した結果を示す。図３に示すように、ＷＨＯ基準充足群では、精漿中亜鉛濃度は１４．６ｍｇ／ｍｌ以上であり、ＷＨＯ基準非充足群では、同濃度が９．４ｍｇ／ｍｌであった。
【００８２】
また、図４に、食事における肉食性、すなわち、肉中心であるか、魚中心であるかなどと精漿中亜鉛濃度との関係を示す。図４に示すように、肉を多食するほど、精漿中亜鉛濃度が高いことがわかった。なお、食事は、検体採取日前の７日間における傾向とした。
【００８３】
以上の結果から、精漿中亜鉛濃度は、総精子数の良好な指標となること及び例えば、ＷＨＯ基準で表される妊孕力（妊孕レベル）の良好な指標となることがわかった。また、例えば、総精子数などの妊孕レベルの基準を適宜決定することによって、当該基準に対する精漿中亜鉛濃度を妊孕レベルの基準値として用いうることがわかった。また、精漿中亜鉛濃度は、食事内容によっても変化するため、精漿中亜鉛濃度を高めるため、換言すれば、妊孕レベルを向上させるための生活習慣上のアドバイスが可能であることがわかった。
【００８４】
（精漿中テストステロン濃度）
精漿中テストステロン濃度についての解析結果を図５〜図６に示す。図５に、被験者の年齢と精漿中テストステロン濃度との関係を示す。図５に示すように、精漿中テストステロン濃度は、加齢に伴い低下することがわかった。また、図６に、精液中の総亜鉛量との関係を示す。図６に示すように、テストステロン濃度の増大に応じて、総亜鉛量が増加することがわかった。
【００８５】
以上の結果から、精漿中テストステロン濃度は、加齢レベルの良好な指標となることがわかった。また、例えば、テストステロン濃度は、総亜鉛量の良好な指標となることもわかった。総亜鉛量は、精子の妊孕力にも関連し、また、テストステロンは男性ホルモンであるから、精漿中のテストステロン濃度は、男らしさの良好な指標となることがわかった。
【００８６】
（精漿中８−ＯＨｄＧ濃度）
精漿中８−ＯＨｄＧ濃度についての解析結果を図７〜図８に示す。図７に、被験者の年齢と精漿中８−ＯＨｄＧ濃度との関係を示す。図７に示すように、精漿中８−ＯＨｄＧ濃度は、加齢に伴い増大することがわかった。また、図８に、被験者の平均的睡眠時間と精漿中の８−ＯＨｄＧ濃度との関係を示す。図８に示すように、平均睡眠時間が長いほど、８−ＯＨｄＧ濃度が高く、平均睡眠時間が短いほど８−ＯＨｄＧ濃度が低いことがわかった。なお、食事は、検体採取日前の７日間における平均睡眠時間とした。
【００８７】
以上の結果から、精漿中８−ＯＨｄＧ濃度は、加齢レベルの良好な指標となることがわかった。また、例えば、８−ＯＨｄＧ濃度は、平均睡眠時間の良好な指標となることもわかった。８−ＯＨｄＧは酸化ストレスマーカーであり、平均睡眠時間との関係から明らかなように、酸化ストレスレベルの良好な指標であることがわかった。
【００８８】
（精漿中クレアチン濃度）
精漿中クレアチン濃度についての解析結果を図９に示す。図９に、被験者の年齢と精漿中クレアチン濃度との関係を示す。図９に示すように、精漿中クレアチン濃度は、加齢に伴い低下することがわかった。
【００８９】
以上の結果から、精漿中クレアチン濃度は、加齢レベルの良好な指標となることがわかった。また、例えば、クレアチンは、それ自体、筋肉増強・再生の良好な指標であることから、精漿中クレアチン濃度は、男らしさレベルの良好な指標であることがわかった。
【実施例２】
【００９０】
以下の実施例では、２０代〜６０代までの健康な男性被験者１９４名に自宅で検体（精液）の採取を依頼した。採取した検体と身体状態等に関するアンケートを株式会社ダンテが受領し、以下の項目（１）〜（６）について検査を行った。なお、被験者の体重及び身長を予め測定してＢＭＩを取得した。また、アンケート項目は、検体採取時における禁欲期間（日）、飲酒習慣及び喫煙習慣を含んでいた。
【００９１】
（１）精液量の測定
実施例１と同様にして行った。
（２）精子濃度
実施例１と同様にして行った。
（３）精漿中亜鉛濃度
実施例１と同様にして行った。
（４）精漿中テストステロン濃度
実施例１と同様にして行った。
（５）精漿中８−ＯＨｄＧ濃度
実施例１と同様にして行った。
（６）精液中のスペルミン濃度
スペルミンは、精液の成分であり、細胞分裂やタンパク質合成に係わる物質である。スペルミンは、Ｊ Ｃｈｒｏｍａｔｏｇｒ Ａ． ２００８ Ｓｅｐ ２６；１２０５（１−２）：９４−１０２に記載の、４−（Ｎ，Ｎ−ジメチルアミノスルホニル）−７−フルオロ−２，１，３−ベンゾキサジアゾール（ＤＢＤ−Ｆ）を用いる誘導体化によるＵＰＬＣによって測定した。すなわち、精液にメタノールを加え、４℃、１５０００ｇで２０分間遠心分離して得られる除タンパク後の上清を、ＤＢＤ−Ｆと反応させて誘導体化した後、ＵＰＬＣで分析する方法が挙げられる。クロマトグラフ条件は、以下のとおりであった。
液体クロマトグラフ装置：ACQUITYTM Ultra Performance Liquid Chromatography and Micromass LCT PremierTM XE Mass Spectrometer (High sensitivity orthogonal time-of-flight instrument; Waters, Milford, USA)
カラム：ACQUITY UPLC BEH C18 column (１．７μｍ，１００×２．１ｍｍ ｉ.ｄ.; Ｗａｔｅｒｓ)
流速：０．４ｍＬ／分
移動相：Ａ；０．１％ギ酸水溶液、Ｂ；０．１％ギ酸アセトニトリル溶液（グラジエント条件：Ｂ％＝２０（０分）−６０（８分）−９０（１０分）−９８（１１分）−９８（１２分）−２０（１３分）−２０（２０分）
検出：５５０ｎｍ（励起波長：４５０ｎｍ）
【００９２】
（解析結果）
アンケート項目と上記各評価項目について解析を行った結果を、図１０〜図１６に示す。
【００９３】
（精漿中亜鉛濃度と禁欲期間）
禁欲期間と精漿中亜鉛濃度についての解析結果を図１０に示す。図１０に示すように、禁欲期間が増大すると精漿中亜鉛濃度が高まる傾向があることがわかった。
【００９４】
（精液中スペルミン濃度と精漿中亜鉛濃度）
精液中スペルミン濃度と精漿中亜鉛濃度とについての解析結果を図１１に示す。図１１に示すように、精液中スペルミン濃度が高いと、精漿中亜鉛濃度が高い傾向があることがわかった。
【００９５】
（ＢＭＩと精漿中８−ＯＨｄＧ濃度）
ＢＭＩと精漿中８−ＯＨｄＧ濃度との関係を図１２に示す。図１２に示すように、ＢＭＩが１８．５未満の痩せ型、同１８．５以上２５未満の普通型、同２５以上の肥満型で分類すると、ＢＭＩが高いほど、すなわち、痩せ型、普通型、肥満型の順で精漿中８−ＯＨｄＧ濃度が低く、酸化ストレスが低い傾向があることがわかった。
【００９６】
（ＢＭＩと精子濃度）
ＢＭＩと精子濃度との関係を図１３に示す。図１３に示すように、ＢＭＩが１８．５未満の痩せ型、同１８．５以上２５未満の普通型、同２５以上の肥満型で分類すると、ＢＭＩが高いほど精漿中亜鉛濃度が高い傾向があることがわかった。また、図１２Ｂに示すように、ＢＭＩが低いほど、すなわち、痩せ型、普通型、肥満型の順で精子濃度が高い傾向があることがわかった。
【００９７】
（飲酒習慣と精漿中テストステロン濃度）
飲酒習慣と精漿中テストステロン濃度との関係を図１４に示す。なお、年齢が高いと精漿中テストステロン濃度が低い傾向があるため、共分散分析により年齢の影響を調整した。図１４に示すように、飲酒習慣の有無（有り：週に１日以上、無し：まったく飲まない）で、精漿中テストステロン濃度傾向が異なり、飲酒習慣があると、精漿中テストステロン濃度が高い傾向があることがわかった。
【００９８】
（喫煙習慣と精漿中亜鉛濃度及び精漿中８−ＯＨｄＧ濃度）
喫煙習慣と精漿中亜鉛濃度との関係を図１５に示し、喫煙習慣と精漿中８−ＯＨｄＧ濃度との関係を図１６に示す。図１５及び図１６に示すように、喫煙習慣の有無（有り：時々吸う、１日に数本吸う、１日に１箱以上吸う、無し：全く吸わない）で、精漿中亜鉛濃度傾向及び精漿中の８−ＯＨｄＧ濃度が異なり、喫煙習慣があると、精漿中亜鉛濃度及び精漿中８−ＯＨｄＧ濃度が低くなる傾向があることがわかった。
【００９９】
以上の結果から、精漿中亜鉛濃度は、総精子数の良好な指標となること及び例えば、ＷＨＯ基準で表される妊孕力（妊孕レベル）の良好な指標となることがわかった。また、例えば、総精子数などの妊孕レベルの基準を適宜決定することによって、当該基準に対する精漿中亜鉛濃度を妊孕レベルの基準値として用いうることがわかった。また、精漿中亜鉛濃度は、食事内容によっても変化するため、精漿中亜鉛濃度を高めるため、換言すれば、妊孕レベルを向上させるための生活習慣上のアドバイスが可能であることがわかった。
【図１】
2019070632.tif 000002
【図２】
2019070632.tif 000003
【図３】
2019070632.tif 000004
【図４】
2019070632.tif 000005
【図５】
2019070632.tif 000006
【図６】
2019070632.tif 000007
【図７】
2019070632.tif 000008
【図８】
2019070632.tif 000009
【図９】
2019070632.tif 000010
【図１０】
2019070632.tif 000011
【図１１】
2019070632.tif 000012
【図１２】
2019070632.tif 000013
【図１３】
2019070632.tif 000014
【図１４】
2019070632.tif 000015
【図１５】
2019070632.tif 000016
【図１６】
2019070632.tif 000017